【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
文書を登録可能な１または複数のボックス内の文書に対して施される、文書内容を変更する画像処理の種類に関連付けてプリントモードを入力するプリントモード情報入力手段と、
前記画像処理の種類に関連付けて、前記入力されたプリントモード情報を記憶するプリントモード情報記憶手段と、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御手段と、
を有することを特徴とする文書処理装置。
【請求項２】
請求項１において、前記プリントモード情報入力手段は、文書処理装置の操作パネルを介した入力手段、ネットワークを介して接続された外部の入出力装置からの入力手段、のうちのいずれかであることを特徴とする文書処理装置。
【請求項３】
請求項１または２において、前記プリントモード情報記憶手段は、当該ボックス内に記憶する手段、他の記憶手段に当該ボックスを関連付けて記憶する手段、のうちのいずれかであることを特徴とする文書処理装置。
【請求項４】
請求項１〜３のいずれかにおいて、プリントモードには、用紙種類、用紙属性、用紙サイズ、レイアウト、カラーモード、の少なくともいずれか１つを設定可能である文書処理装置。
【請求項５】
請求項１〜４のいずれかにおいて、前記文書に対して画像処理を行う画像処理手段をさらに有することを特徴とする文書処理装置。
【請求項６】
文書を登録可能な１または複数のボックス内の文書に対して施される、文書内容を変更する画像処理の種類に関連付けてプリントモードを入力するプリントモード情報入力手段と、
前記画像処理の種類に関連付けて、前記入力されたプリントモード情報を記憶するプリントモード情報記憶手段と、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御手段と、
を備えた画像形成装置。
【請求項７】
請求項６において、前記プリントモード情報入力手段は、文書処理装置の操作パネルを介した入力手段、ネットワークを介して接続された外部の入出力装置からの入力手段、のうちのいずれかであることを特徴とする画像形成装置。
【請求項８】
請求項６または７において、前記プリントモード情報記憶手段は、当該ボックス内に記憶する手段、他の記憶手段に当該ボックスを関連付けて記憶する手段、のうちのいずれかであることを特徴とする画像形成装置。
【請求項９】
請求項６〜８のいずれかにおいて、プリントモードには、用紙種類、用紙属性、用紙サイズ、レイアウト、カラーモードの少なくともいずれか１つを設定可能である画像形成装置。
【請求項１０】
請求項６〜９のいずれかにおいて、前記文書に対して画像処理を行う画像処理手段をさらに有することを特徴とする画像形成装置。
【請求項１１】
文書を登録可能な１または複数のボックス内の文書に対して施される、文書内容を変更する画像処理の種類に関連付けてプリントモードを入力するプリントモード情報入力ステップと、
前記画像処理の種類に関連付けて、前記入力されたプリントモード情報を記憶するステップと、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御ステップと、
を備えたことを特徴とする文書処理方法。
【請求項１２】
請求項１１において、前記プリントモード情報入力ステップは、文書処理装置の操作パネルを介した入力手段、ネットワークを介して接続された外部の入出力装置からの入力手段、のうちのいずれかを介して行われることを特徴とする文書処理方法。
【請求項１３】
請求項１１または１２において、前記プリントモード情報を記憶するステップは、当該ボックス内に記憶する手段、他の記憶手段に当該ボックスを関連付けて記憶する手段、のうちのいずれかに対して行われることを特徴とする文書処理方法。
【請求項１４】
請求項１１〜１３のいずれかにおいて、プリントモードには、用紙種類、用紙属性、用紙サイズ、レイアウト、カラーモードの少なくともいずれか１つを設定可能である文書処理方法。
【請求項１５】
請求項１１〜１４のいずれかにおいて、前記文書に対して画像処理を行う画像処理のステップをさらに有することを特徴とする文書処理方法。
【請求項１６】
コンピュータを文書処理装置として機能させるプログラムであって、
文書を登録可能な１または複数のボックス内の文書に対して施される、文書内容を変更する画像処理の種類に関連付けてプリントモードを入力するプリントモード情報入力ステップと、
前記画像処理の種類に関連付けて、前記入力されたプリントモード情報を記憶するステップと、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御ステップと、
をコンピュータに実行させることを特徴とするプログラム。
【請求項１７】
請求項１６において、前記プリントモード情報入力ステップは、文書処理装置の操作パネルを介した入力手段、ネットワークを介して接続された外部の入出力装置からの入力手段、のうちのいずれかを介して行われることを特徴とするプログラム。
【請求項１８】
請求項１６または１７において、前記プリントモード情報を記憶するステップは、当該ボックス内に記憶する手段、他の記憶手段に当該ボックスを関連付けて記憶する手段、のうちのいずれかに対して行われることを特徴とするプログラム。
【請求項１９】
請求項１６〜１８のいずれかにおいて、プリントモードには、用紙種類、用紙属性、用紙サイズ、レイアウト、カラーモードの少なくともいずれか１つを設定可能であるプログラム。
【請求項２０】
請求項１６〜１９のいずれかにおいて、前記文書に対して画像処理を行う画像処理のステップをさらにコンピュータに実行させることを特徴とするプログラム。
【請求項２１】
コンピュータを文書処理装置として機能させる請求項１６〜２０のいずれかに記載のプログラムが記録されたコンピュータ読み取り可能な記録媒体。
【手続補正２】
【補正対象書類名】明細書
【補正対象項目名】００１２
【補正方法】変更
【補正の内容】
【００１２】
本発明は、下記の手段を提供する。すなわち、
［１］文書を登録可能な１または複数のボックス内の文書に対して施される、文書内容を変更する画像処理の種類に関連付けてプリントモードを入力するプリントモード情報入力手段と、
前記画像処理の種類に関連付けて、前記入力されたプリントモード情報を記憶するプリントモード情報記憶手段と、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御手段と、
を有することを特徴とする文書処理装置。
［２］前項１において、前記プリントモード情報入力手段は、文書処理装置の操作パネルを介した入力手段、ネットワークを介して接続された外部の入出力装置からの入力手段、のうちのいずれかであることを特徴とする文書処理装置。
［３］前項１または２において、前記プリントモード情報記憶手段は、当該ボックス内に記憶する手段、他の記憶手段に当該ボックスを関連付けて記憶する手段、のうちのいずれかであることを特徴とする文書処理装置。
［４］前項１〜３のいずれかにおいて、プリントモードには、用紙種類、用紙属性、用紙サイズ、レイアウト、カラーモード、の少なくともいずれか１つを設定可能である文書処理装置。
［５］前項１〜４のいずれかにおいて、前記文書に対して画像処理を行う画像処理手段をさらに有することを特徴とする文書処理装置。
［６］文書を登録可能な１または複数のボックス内の文書に対して施される、文書内容を変更する画像処理の種類に関連付けてプリントモードを入力するプリントモード情報入力手段と、
前記画像処理の種類に関連付けて、前記入力されたプリントモード情報を記憶するプリントモード情報記憶手段と、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御手段と、
を備えた画像形成装置。
［７］前項６において、前記プリントモード情報入力手段は、文書処理装置の操作パネルを介した入力手段、ネットワークを介して接続された外部の入出力装置からの入力手段、のうちのいずれかであることを特徴とする画像形成装置。
［８］前項６または７において、前記プリントモード情報記憶手段は、当該ボックス内に記憶する手段、他の記憶手段に当該ボックスを関連付けて記憶する手段、のうちのいずれかであることを特徴とする画像形成装置。
［９］前項６〜８のいずれかにおいて、プリントモードには、用紙種類、用紙属性、用紙サイズ、レイアウト、カラーモードの少なくともいずれか１つを設定可能である画像形成装置。
［１０］前項６〜９のいずれかにおいて、前記文書に対して画像処理を行う画像処理手段をさらに有することを特徴とする画像形成装置。
［１１］文書を登録可能な１または複数のボックス内の文書に対して施される、文書内容を変更する画像処理の種類に関連付けてプリントモードを入力するプリントモード情報入力ステップと、
前記画像処理の種類に関連付けて、前記入力されたプリントモード情報を記憶するステップと、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御ステップと、
を備えたことを特徴とする文書処理方法。
［１２］前項１１において、前記プリントモード情報入力ステップは、文書処理装置の操作パネルを介した入力手段、ネットワークを介して接続された外部の入出力装置からの入力手段、のうちのいずれかを介して行われることを特徴とする文書処理方法。
［１３］前項１１または１２において、前記プリントモード情報を記憶するステップは、当該ボックス内に記憶する手段、他の記憶手段に当該ボックスを関連付けて記憶する手段、のうちのいずれかに対して行われることを特徴とする文書処理方法。
［１４］前項１１〜１３のいずれかにおいて、プリントモードには、用紙種類、用紙属性、用紙サイズ、レイアウト、カラーモードの少なくともいずれか１つを設定可能である文書処理方法。
［１５］前項１１〜１４のいずれかにおいて、前記文書に対して画像処理を行う画像処理のステップをさらに有することを特徴とする文書処理方法。
［１６］コンピュータを文書処理装置として機能させるプログラムであって、
文書を登録可能な１または複数のボックス内の文書に対して施される、文書内容を変更する画像処理の種類に関連付けてプリントモードを入力するプリントモード情報入力ステップと、
前記画像処理の種類に関連付けて、前記入力されたプリントモード情報を記憶するステップと、
前記ボックス内の文書に対するプリント指示を受けると、当該文書に対して当該プリント指示の前に施された画像処理の種類を判断し、判断された画像処理の種類に関連付けて記憶されているプリントモードを取得し、当該プリントモードで当該文書をプリントするためのプリント実行指示を行うプリントモード制御ステップと、
をコンピュータに実行させることを特徴とするプログラム。
［１７］前項１６において、前記プリントモード情報入力ステップは、文書処理装置の操作パネルを介した入力手段、ネットワークを介して接続された外部の入出力装置からの入力手段、のうちのいずれかを介して行われることを特徴とするプログラム。
［１８］前項１６または１７において、前記プリントモード情報を記憶するステップは、当該ボックス内に記憶する手段、他の記憶手段に当該ボックスを関連付けて記憶する手段、のうちのいずれかに対して行われることを特徴とするプログラム。
［１９］前項１６〜１８のいずれかにおいて、プリントモードには、用紙種類、用紙属性、用紙サイズ、レイアウト、カラーモードの少なくともいずれか１つを設定可能であるプログラム。
［２０］前項１６〜１９のいずれかにおいて、前記文書に対して画像処理を行う画像処理のステップをさらにコンピュータに実行させることを特徴とするプログラム。
［２１］コンピュータを文書処理装置として機能させる前項１６〜２０のいずれかに記載のプログラムが記録されたコンピュータ読み取り可能な記録媒体。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】